(57)【要約】  マスク（６、１０６）およびマスクに結合された調節アーム（２６、１２６）を有する患者インターフェース装置（２、１０２）を用いる陽圧補助を提供する装置および方法である。調節アームはマスクから延びる延長部材（２８）を含む。マスクは患者の顔に接し、調節アームは患者の頭から間隔を空けられるとともに患者の頭と接しない。この方法は、マスクによって患者に加えられる圧力を、調節アームを患者の頭に接触させること無しに、患者インターフェース装置に加えられるストラップ力を調節することによって調節すること、および調節アームを患者の頭に接触させること無しに、患者にマスクを通じてガスを供給することを含む。
2013523203.tif 000002
【特許請求の範囲】
【請求項１】
患者に陽圧補助を供給する方法であって：
（ｉ）（ａ）マスクと、
（ｂ）前記マスクの第１および第２の側部それぞれに動作可能に結合された第１および第２の下方ヘッドギアストラップと、
（ｃ）前記マスクに結合された調節アームであって、前記調節アームは、前記マスクの上部に接続されるとともに前記マスクの前記上部から上方に延びる延長部材を有し、前記マスクは前記患者の顔に接し、前記調節アームは前記患者の頭から間隔を空けられるとともに前記患者の頭と接触しない、調節アームと、
（ｄ）前記調節アームの第１および第２の側部にそれぞれ動作可能に結合された第１および第２の上方ヘッドギアストラップであって、前記第１および第２の上方ヘッドギアストラップのそれぞれが前記患者の頭のそれぞれの側部に沿って延びる、第１および第２の上方ヘッドギアストラップと、
を有する患者インターフェース装置を、前記患者の頭に取り付けるステップ、
（ｉｉ）前記マスクによって前記患者の顔に加えられる圧力を、前記上方ヘッドギアストラップによって前記調節部材に加えられる上方ストラップ力を調節することによって、または、前記下方ヘッドギアストラップによって前記マスクに加えられる下方ストラップ力を調節することによって、または、前記上方ストラップ力および前記下方ストラップ力の両方を調節することによって、前記調節アームが前記患者の頭に接することをもたらすことなしに、調節するステップ、
（ｉｉｉ）呼吸ガスの流れを前記患者の気道に前記マスクを通じて前記調節アームが前記患者の頭に接することなしに供給するステップ、
を含む、
方法。
【請求項２】
前記第１および前記第２の上方ヘッドギアストラップは調節可能であり、
前記上方ヘッドギアストラップによって前記調節アームに加えられる前記ストラップ力は、前記上方ヘッドギアストラップの長さを調節することによって選択的に調節される、
請求項１に記載の方法。
【請求項３】
前記上方ヘッドギアストラップは弾性材料で作られ、
前記上方ヘッドギアストラップによって前記調節アームに加えられる前記ストラップ力は、前記患者インターフェース装置を前記患者の頭に取り付けることに対応した前記上方ヘッドギアストラップの伸張の結果として調節される、
請求項１に記載の方法。
【請求項４】
前記調節アームは、前記ストラップ力に対応して前記マスクの上部が鼻梁への力を前記患者の鼻梁に提供することをもたらすカンチレバーとして作用する、
請求項１に記載の方法。
【請求項５】
前記上方ヘッドギアストラップは、前記患者の目の高さより上に配置される、
請求項１に記載の方法。
【請求項６】
前記マスクは、鼻／口マスク、鼻マスク、および鼻クッションのうちの１つである、
請求項１に記載の方法。
【請求項７】
前記延長部材は前記マスクの上部に強固に接続される、
請求項１に記載の方法。
【請求項８】
前記マスクはシェルおよび前記シェルに結合されたクッションを有し、
前記第１および前記第２の下方ヘッドギアストラップは、前記シェルの第１および第２の側部にそれぞれ結合され、
前記調節アームの前記延長部材は、前記シェルの上部に強固に接続されるとともに前記シェルの上部から上方に延び、
前記クッションは前記患者の顔に接し、前記調節アームは、前記患者の頭から間隔を空けられるとともに前記患者の頭と接しない、
請求項８に記載の方法。
【請求項９】
前記調節アームおよび前記シェルは、硬質または半硬質の材料で作られる、
請求項９に記載の方法。
【請求項１０】
前記調節アームは可動部分を有さない、
請求項１０に記載の方法。
【請求項１１】
前記延長部材の遠位端に接続されたストラップフレームをさらに有し、
前記第１および前記第２のヘッドギアストラップは前記ストラップフレームに結合される、
請求項１に記載の方法。
【請求項１２】
患者の頭に取り付けられるように適合された患者インターフェース装置であって：
マスクと、
前記マスクに結合された調節アームであって、前記調節アームが前記患者の顔の少なくとも一部の上方に配置されるように、前記マスクに動作可能に接続されるとともに前記マスクから延びる延長部材を有する、調節アームと、を有し、
前記マスクおよび前記調節アームは、前記マスクが前記患者の顔に接するとき、前記調節アームが前記患者の頭から間隔を空けられたままであるとともに前記患者の頭に接触せず、エアギャップが前記患者の頭と前記調節アームの全体との間に設けられるように構成される、
患者インターフェース装置。
【請求項１３】
前記延長部材の遠位端に接続されたストラップフレームをさらに有する、
請求項１２に記載の装置。
【請求項１４】
前記延長部材は前記マスクの上部に強固に接続される、
請求項１２に記載の装置。
【請求項１５】
前記マスクはシェルおよび前記シェルに結合されたクッションを有する、
請求項１２に記載の装置。
【発明の詳細な説明】
【技術分野】
【０００１】
本出願は、２０１０年３月２５日出願の米国仮特許出願第６１／３１７，４２９号の３５Ｕ．Ｓ．Ｃ．§１１９（ｅ）に従った優先権の利益を主張するものであり、その内容は参照により本出願に援用される。
【０００２】
本発明は、ガスの流れをユーザの気道に送るための患者インターフェース装置、特に、浮動調節アームを含む患者インターフェース装置に関し、適合するための調節は患者の顔に接触する調節アームなしに行われ得る。
【背景技術】
【０００３】
呼吸ガスの流れを患者の気道に非侵襲的に、すなわち、患者に挿管せずにまたは食道に気管内チューブを外科的に挿入することなしに、供給することが必要または望まれる多くの状況がある。例えば、非侵襲的換気として知られる技術を用いて患者を人工呼吸することが知られている。睡眠時無呼吸症候群、特に、閉塞性睡眠時無呼吸（ＯＳＡ）またはうっ血性心不全等の医学的な障害を治療するために、患者の呼吸周期によって変化する、持続性気道陽圧（ＣＰＡＰ）または可変気道圧を供給することも知られている。
【０００４】
非侵襲的換気および圧補助療法は、患者の顔へのマスク構成要素を含む患者インターフェース装置の取り付けを含む。マスク構成要素は、限定されるものではないが、患者の鼻を覆う鼻マスク、患者の鼻孔内に入れられる鼻プロングを有する鼻クッション、鼻および口を覆う鼻／口マスク、或いは、患者の顔を覆うフルフェイスマスクであり得る。患者インターフェース装置は、呼吸ガスの流れが圧力／流れ発生装置から患者の気道に供給され得るように、換気装置または圧力補助装置を患者の気道と結びつける。患者の頭の上／周りにフィットするように適合された複数のストラップを有するヘッドギアによってこのような装置を装着者の顔に保持することが知られている。患者の額に接することによって患者インターフェース装置の追加的な支持を提供するように構成された患者インターフェース装置の一部としての額支持部を備えることも知られている。
【０００５】
このような患者インターフェース装置は典型的には長期間着用されるので、ヘッドギアが装置のマスク構成要素を不快感なしに患者の顔に対して十分しっかりしたシール状態に保つことが重要である。大抵の患者インターフェース装置は鼻梁の領域に圧力を加えるので、フィットと快適さがしばしば問題になる１つの領域は、患者の鼻の鼻梁である。この圧力が効果的に管理されることができない場合、装着不良または患者の不快感のいずれかまたは両方が装置の有効性を制限することをもたらす。
【０００６】
ＣＰＡＰ治療に用いられる、鼻／口マスク等の、大抵の患者インターフェース装置の選択的な調節を提供する現在の方法は、マスクに結合された下部ヘッドギアストラップ、患者の額に接するように構成された移動可能／調節可能な額アームを有する移動可能／調節可能な額支持部、および移動可能／調節可能な額支持部に結合された上部ヘッドギアストラップを持つ患者インターフェース装置を提供することを含む。効果的である一方、この方法は、いくつかの可動部品を有する複雑な患者インターフェース装置を必要とする。
【０００７】
典型的には、患者は、適切なフィットを得るために、２つの下部ヘッドギアストラップ、２つの上部ヘッドギアストラップ、そして最後に額アームを調節しなければならない。このような装置の背景にある原理は、患者インターフェース装置構成部品によって接触される額が固定点として作用し、額アームを調節することによって、患者の快適さを最大化しながらリークを最小化するように様々な顔の大きさを考慮して鼻梁の圧力が増大または減少され得ることである。
【０００８】
加えて、額支持部を用いていない従来の患者インターフェース装置は、ヘッドギアストラップのみの調節を通じて調節可能である。これは、多くの調節点を持つ扱い難く、しばしば不安定な調節システムをもたらす。
【発明の概要】
【発明が解決しようとする課題】
【０００９】
したがって、本発明の目的は、従来の方法の欠点を克服する患者に陽圧補助を供給する方法を提供することである。
【課題を解決するための手段】
【００１０】
この目的は、本発明の１つの実施形態に従って、患者に陽圧補助を供給する方法を提供することによって達成され、患者インターフェース装置を患者の頭に取り付けることを含む。患者インターフェース装置は、マスク、マスクの第１および第２の側部それぞれに結合された第１および第２の下方ヘッドギアストラップ、マスクに結合された調節アームを含む。調節アームは、マスクの上部に接続されるとともにマスクの上部から上方に延びる延長部材、および延長部材の遠位端に接続されるストラップフレームを含む。マスクは患者の顔に接し、調節アームは患者の頭から間隔を空けられるとともに患者の頭と接触しない。本方法はさらに、マスクによって患者の顔に加えられる圧力を、患者の頭に調節アームが接することをもたらすことなしに調節アームに結合された上方ヘッドギアストラップによって、ストラップフレームに加えられるストラップ力を調節することにより調節すること、および呼吸ガスの流れを患者の気道にマスクを通じて調節アームが患者の頭に接することなしに供給することを含む。
【００１１】
本発明のさらに別の目的は、上述の方法で用いる患者インターフェース装置を提供することである。患者インターフェース装置は、マスク、およびマスクに結合された調節アームを含む。調節アームは、調節アームがこのような患者の顔の少なくとも一部の上方に配置されるように、マスクに動作可能に接続されるとともにマスクから延びる延長部材を有する。マスクおよび調節アームは、マスクが患者の顔に接するとき、調節アームがこのような患者の頭から間隔を空けられたままであるとともにこのような患者の頭に接触せず、エアギャップがこのような患者の頭と調節アームの全体との間に設けられるように構成される。
【００１２】
本発明のこれらのおよび他の目的、特徴、性質、および構造の要素および部品の組み合わせに関連した動作方法および機能、製造の経済性は、全てが本明細書の一部を形成する添付の図面を参照して、以下の説明および添付の特許請求の範囲を考慮することにより明らかになるであろう。ここで、同様の参照符号は様々な図において対応する部品を示す。しかし、図面は例示および説明のためにのみ提供されるものであり、本発明の境界を定義するためのものではないことが明白に理解されるべきである。
【図面の簡単な説明】
【００１３】
【図１】図１は、本発明の第１の例示的な実施形態による、患者に装着されて示された患者インターフェース装置の側面図である。
【図２】図２は、図１の患者インターフェース装置の正面図である。
【図３】図３は、本発明の原理に従った患者インターフェース装置の第２の例示的な実施形態の斜視図である。
【図４】図４は、図３の患者インターフェース装置の側面図である。
【発明を実施するための形態】
【００１４】
本出願において用いられる、“ａ”、“ａｎ”および“ｔｈｅ”は、そうでないことを文脈が明確に示さない限り、複数の指示対象を含む。本出願において用いられる、２つ以上の部品または構成要素が「結合される（ｃｏｕｐｌｅｄ）」という文は、リンクが存在する限り、部品が直接または間接的に、すなわち、１つまたは複数の中間の部品または構成要素を通じて、接合されるまたは互いに作用することを意味する。本出願において用いられる、「直接結合される」は２つの要素が互いに直接接触することを意味する。本出願において用いられる、「固定して結合される」または「固定される」は、２つの構成要素が、互いに対する一定の向きを保持しながら１つとして動くように結合されることを意味する。
【００１５】
本出願において用いられる、「単一の（ｕｎｉｔａｒｙ）」の語は、構成要素が単一の部分またはユニットとして作られることを意味する。つまり、別々に作られて次にユニットとして一緒に結合された部分を含む構成要素は「単一の」構成要素または本体ではない。本出願において用いられる、２つ以上の部品または構成要素が互いに「接（触）する、（ｅｎｇａｇｅ）」という文は、部品が、直接または１つまたは複数の中間部品または構成要素を介して、互いに対して力を及ぼすことを意味する。本出願において用いられる、用語「数」は、１または１より大きい整数（すなわち複数）を意味する。
【００１６】
例えば限定するものではないが、上部、下部、左側、右側、上方、下方、前部、後部、並びにこれらの派生語のような本出願において使用される方向に関する記載は、図面において示される要素の向きに関連するものであり、明記されない限り特許請求の範囲を限定するものではない。
【００１７】
図１および２は、本発明の例示的な実施形態による、患者４によって装着される患者インターフェース装置２を示す、それぞれ側方および前方外略図である。患者インターフェース装置２はマスク６を含み、例示的実施形態では鼻／口マスクである。しかし、鼻マスク、鼻枕／クッション、或いはフルフェイスマスク等、呼吸ガスの流れの患者の気道への供給を促進する、任意のタイプのマスクが、本発明の範囲内にあるままでマスク６として使用され得る。マスク６は、硬質または半硬質のシェル１０（一般にフェースプレートとも称される）に結合されたクッション８を含む。シェル１０は、限定するものではないが、ポリカーボネートまたは強化シリコーン等の材料で作られ得る。
【００１８】
例示的な実施形態では、クッション８は、限定するものではないが、シリコーン、適切に軟らかい熱可塑性エラストマ、独立気泡フォーム、ゲル、或いはこのような材料の組合せ等、軟らかく、可撓性のある材料で作られる。シェル１０の開口１２は、エルボコネクタ等、接続コネクタ（図示せず）に結合されるように構成される。この接続コネクタは、今度は適切な送出導管１３を介して圧力発生装置１１に結合される。開口１２は、圧力発生装置によって発生した呼吸ガスの流れが、シェル１０およびクッション８によって画定される内部空間に、そして次に患者４の気道に送られることを可能にする。圧力発生装置１１は、限定するものではないが、換気装置、一定圧力補助装置（持続性気道陽圧装置、またはＣＰＡＰ装置等）、可変圧力装置（例えば、ＰｅｎｎｓｙｌｖａｎｉａのＭｕｒｒｙｓｖｉｌｌｅのＰｈｉｌｉｐｓ  Ｒｅｓｐｉｒｏｎｉｃｓによって製造されるとともに供給されるＢｉＰＡＰ（登録商標）、Ｂｉ−Ｆｌｅｘ（登録商標）、またはＣ−Ｆｌｅｘ（商標）装置等）、およびオートタイトレーション圧力補助装置を含み得る。
【００１９】
シェル１０は、それぞれクリップ要素１６の留め具を受けると共に保持するように構成された第１および第２のスロット１４を含む。例示的な実施形態では、スロット１４およびクリップ要素１６は、ボールおよびソケットの構造の形態で構成されるが、他の形態も可能である。各クリップ要素１６はまた、患者インターフェース装置２を患者４の頭２４に固定するために使用されるヘッドギア構成要素２２のそれぞれの下方ヘッドギアストラップ２０を受け入れるためのループ１８を含む。各下方ヘッドギアストラップ２０の長さは、ＶＥＬＣＲＯ（登録商標）等、面ファスナ固定システムによって選択的に調節可能である。特に、各下方ヘッドギアストラップ２０の外側はループファスナ部分を含み、対応するフックファスナ部分は下方ヘッドギアストラップ２０の外側の端部に設けられる。したがって、各下方ヘッドギアストラップ２０は、それぞれのループ１８を通され、次にフックファスナ部分がループファスナ部分に選択された場所で付着するようにそれ自体が折り返される。他の選択的に調節可能な固定する構造も可能である。
【００２０】
患者インターフェース装置２はさらに、シェル１０に結合された浮動調節アーム２６を含む。より具体的には、調節アーム２６は、シェル１０に強固に（すなわち、非可動（移動できないよう）に）結合されるとともにシェル１０から上方に延びる硬質または半硬質の延長部材２８を含む。ストラップフレーム３０は、延長部材２８の遠位端に強固に（すなわち、非可動に）結合される。調節アーム２６は、限定するものではないが、ポリカーボネートまたは強化シリコーン等の材料で作られ得る。ストラップフレーム３０は、その両端に設けられたループ３２を含む。各ループ３２は、ヘッドギア構成要素２２のそれぞれの上方ヘッドギアストラップ３４を受け入れるように構成される。図１に見られるように、各上方ヘッドギアストラップ３４は、ストラップフレーム３０から患者４の頭２４のそれぞれの側部に沿って頭２４の後ろ４０に向かって延びる。
【００２１】
例示的な実施形態では、ストラップフレーム３０は、患者４の目４２より上に配置され、したがって上方ヘッドギアストラップ３４は、目４２より上の高さで目４２の邪魔にならない所に延びる。各上方ヘッドギアストラップ３４の長さは、上述のように、面ファスナ固定システムによって選択的に調節可能である。加えて、例示的な実施形態では、ヘッドギア構成要素２２は、患者インターフェース装置２の使用から生じる垂直力を考慮するために頭頂ストラップ部３５を含む。
【００２２】
延長部材２８および／またはストラップフレーム３０は、様々な異なる構造、形状、およびサイズを有し得る。例えば、ストラップフレーム３０は、ヘッドギアストラップが延長部材２８に直接付くように完全に省略され得る。本発明はまた、延長部材２８およびストラップフレーム３０が様々な材料または材料の組合せから作られ得ることも意図している。さらに、延長部材２８およびストラップフレーム３０は、単一構造として形成され得るまたは互いに選択的に切り離され得る分離した構造であり得る。また、本発明は、１つより多い延長部材が設けられ得ることを意図している。例えば、２つの延長部材がシェルから延び得る。ストラップフレームはそれぞれ設けられ得るまたは省略され得る。
【００２３】
図１および２に見られるように、患者インターフェース装置２が使用され患者４によって装着されたとき、マスク６のクッション８は口および鼻梁の周りの患者４の顔３６に接する。しかし、調節アーム２６は、−患者インターフェース装置２の使用中−、患者４の頭２４、特に額３８の領域に接触しない。図１に見られるように、調節アーム２６は使用中、患者４の頭２４から間隔を空けられたままである。患者４は、単に上方ヘッドギアストラップ３４の長さを、したがって上方ヘッドギアストラップ３４によって加えられるストラップ力を調節することによって、マスク６によって加えられる鼻梁の圧力を選択的に調節し得る。これが行われたとき、調節アーム２６は、力および上方ヘッドギアストラップ３４の調節を患者４の鼻梁に伝達するカンチレバーとして作用する。このカンチレバー効果は、ヘッドギアストラップが患者４の目４２に干渉することがなく、調節アーム２６が患者４の頭２４に接触することなしに、患者４の鼻梁でのマスク６の上方部分の直接の調節を可能にする。従来とは対照的に、調節アーム２６が動く部分の無い硬質または半硬質の構成要素であるので、調節アーム２６の如何なる部分も調節する必要がない。
【００２４】
しかし、本発明は、調節アームが使用者に接触しない限り、調節アーム２６の有効長さの調節を可能にさせることを意図する。長さの調節は、例えば、マスクシェルへのスライドカップリングおよび／または調節アーム上の伸縮機構を設けることによって達成され得る。
【００２５】
代替実施形態では、各上方ヘッドギアストラップ３４は、マスク６によって患者４の顔３６に加えられる圧力の自動調節を提供する一方、上方ヘッドギアストラップ３４の長さの手動調節の必要なしにマスク６のクッション８と患者４の顔３６との間で効果的なシールも提供するように、十分な弾性特性を有する材料で作られ得る。
【００２６】
このように患者インターフェース装置２は、患者４または治療者による鼻梁の圧力のより簡単な調節を可能にするより少ない（かつ動かない）部品を持つ単純な設計を提供するという点で有利である。単純な設計は、より低い製造コストになる。加えて、より少ない（かつ動かない）部品により、破損の可能性が減少し、したがたって品質が向上する。また、より少ない調節点（すなわち、調節アーム２６を調節する必要がないこと）は、患者４または治療者がマスク６と患者４の顔３６との間の適切なシールをより迅速に達成するのに役立ち、これはさらなる治療および製品使用を促進するであろう。
【００２７】
図３および４は、本発明の代替実施形態による患者インターフェース装置１０２を示す。患者インターフェース装置１０２は、クッション１０８およびシェル１１０を有するマスク１０６を含む。クッション１０８は、任意の適切な構造を用いてシェル１１０に結合される。しかし、例示的な実施形態では、クッション１０８はクッションが交換され得るようにシェル１１０から取り外し可能である。加えて、浮動調節アーム１２６がシェル１１０に動作可能に結合されるとともに、ヘッドギア取付要素がシェルおよび調節アーム１２６の遠位端１２７に設けられる。
【００２８】
多くの点で、患者インターフェース装置１０２は、図１および２の患者インターフェース装置２と概して類似していることが理解できる。例えば、ユーザに装着されたとき、調節アームはユーザに接触しない。患者インターフェース装置１０２は、マスクおよび浮動調節アームのための代替の例示的な構造を示すために提供される。例えば、この実施形態では、マスク１０６は、ユーザの鼻のみにフィットするように大きさを決められるとともに構成された鼻マスクである。
【００２９】
本発明は、最も有用かつ好ましい実施形態と現在みなされるものに基づいて例示を目的に詳細に記載されているが、このような詳細は単にこの目的のためであり、本発明は、開示された実施形態に限定されるものでなく、それどころか、添付の特許請求の範囲の精神および範囲内にある変更形態および等価な構成をカバーすることが意図されることが理解されるべきである。例えば、本発明は、可能な限り、任意の実施形態の１つまたは複数の特徴が他の任意の実施形態の一つまたは複数の特徴と組み合わされ得ることを意図していることが理解されるべきである。
【図１】
2013523203.tif 000003
【図２】
2013523203.tif 000004
【図３】
2013523203.tif 000005
【図４】
2013523203.tif 000006
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
患者に陽圧補助を供給する方法であって：
（ｉ）（ａ）クッションと、
（ｂ）前記クッションが結合されるシェルおよび前記シェルに結合される調節アームを含むフレーム部材であって、前記調節アームは、前記シェルの上部に強固にかつ非可動に接続されるとともに前記シェルの前記上部から上方に延びる延長部材および前記延長部材の遠位端に強固にかつ非可動に接続されたストラップフレームを有し、前記シェルおよび前記ストラップフレームはＴ形状部材を形成し、前記シェル、前記延長部材および前記ストラップフレームは一体構造である、フレーム部材と、
（ｃ）前記シェルの第１および第２の側部それぞれに動作可能に結合された第１および第２の下方ヘッドギアストラップと、
（ｄ）前記ストラップフレームの第１および第２の両側にそれぞれ動作可能に結合された第１および第２の上方ヘッドギアストラップであって、前記第１および第２の上方ヘッドギアストラップのそれぞれが前記患者の頭のそれぞれの側部に沿って延び、前記クッションが前記患者の顔に接し、前記調節アームは前記患者の頭から間隔を空けられるとともに前記患者の頭と接触しない、第１および第２の上方ヘッドギアストラップと、
を有する患者インターフェース装置を、前記患者の頭に取り付けるステップ、
（ｉｉ）前記シェルおよび前記クッションによって前記患者の顔に加えられる圧力を、前記上方ヘッドギアストラップによって前記調節部材に加えられる上方ストラップ力を調節することによって、または、前記下方ヘッドギアストラップによって前記マスクに加えられる下方ストラップ力を調節することによって、または、前記上方ストラップ力および前記下方ストラップ力の両方を調節することによって、前記調節アームが前記患者の頭に接することをもたらすことなしに、調節するステップ、
（ｉｉｉ）呼吸ガスの流れを前記患者の気道に前記シェルおよび前記クッションを通じて前記調節アームが前記患者の頭に接することなしに供給するステップ、
を含む、
方法。
【請求項２】
前記第１および前記第２の上方ヘッドギアストラップは調節可能であり、
前記上方ヘッドギアストラップによって前記調節アームに加えられる前記ストラップ力は、前記上方ヘッドギアストラップの長さを調節することによって選択的に調節される、
請求項１に記載の方法。
【請求項３】
前記上方ヘッドギアストラップは弾性材料で作られ、
前記上方ヘッドギアストラップによって前記調節アームに加えられる前記ストラップ力は、前記患者インターフェース装置を前記患者の頭に取り付けることに対応した前記上方ヘッドギアストラップの伸張の結果として調節される、
請求項１に記載の方法。
【請求項４】
前記調節アームは、前記ストラップ力に対応して前記クッションの上部が鼻梁への力を前記患者の鼻梁に提供することをもたらすカンチレバーとして作用する、
請求項１に記載の方法。
【請求項５】
前記上方ヘッドギアストラップは、前記患者の目の高さより上に配置される、
請求項１に記載の方法。
【請求項６】
前記患者インターフェース装置は、鼻／口マスク、鼻マスク、および鼻クッションのうちの１つである、
請求項１に記載の方法。
【請求項７】
前記調節アームおよび前記シェルは、硬質または半硬質の材料で作られる、
請求項１に記載の方法。
【請求項８】
前記調節アームは可動部分を有さない、
請求項７に記載の方法。
【請求項９】
患者の頭に取り付けられるように適合された患者インターフェース装置であって：
クッションと、
前記クッションが結合されるシェルおよび前記シェルに結合される調節アームを含むフレーム部材であって、前記調節アームは、前記シェルの上部に強固にかつ非可動に接続されるとともに前記シェルの前記上部から上方に延びる延長部材および前記延長部材の遠位端に強固にかつ非可動に接続されたストラップフレームを有し、前記シェルおよび前記ストラップフレームはＴ形状部材を形成し、前記シェル、前記延長部材および前記ストラップフレームは一体構造である、フレーム部材と、
前記シェルの第１および第２の側部それぞれに動作可能に結合された第１および第２の下方ヘッドギアストラップと、
前記ストラップフレームの第１および第２の両端部にそれぞれ動作可能に結合された第１および第２の上方ヘッドギアストラップと、を有し、
前記クッション、前記第１および前記第２の下方ヘッドギアストラップ、
前記第１および前記第２の上方ヘッドギアストラップ、並びに前記フレーム部材は、前記クッションが前記患者の顔に接するとき、前記調節アームが前記患者の頭から間隔を空けられたままであるとともに前記患者の頭に接触せず、エアギャップが前記患者の頭と前記調節アームの全体との間に設けられるように構成される、
患者インターフェース装置。
【国際調査報告】
2013523203.tif 000007
2013523203.tif 000008
2013523203.tif 000009
2013523203.tif 000010
2013523203.tif 000011